(57)【要約】【課題】パウチの開封時、切取片に指を掛けて切り取り可能な指掛部を、切取片に形成することにより、切取片の切除開封時において、前記指掛部に指先を掛けてフィルム縁をつまむことにより、フィルムが３次元形状からなる湾曲面を形成し、該湾曲面に指先がフィットするため、指が滑ることなく、力を加えて容易に切取片を切除することが可能な、易開封パウチを提供することである。【解決手段】上記課題を解決するため本発明は、フィルムの外周をシールしてなるパウチであって、該パウチの切取片を切除して初期開封するパウチにおいて、前記切取片に、指を掛けて開封可能な指掛部を形成したことを特徴とする、易開封パウチである。【選択図】図４
2008063000.tif 000002
【特許請求の範囲】
【請求項１】
フィルムの外周をシールしてなるパウチであって、該パウチの切取片を切除して初期開封するパウチにおいて、前記切取片に、指を掛けて開封可能な指掛部を形成したことを特徴とする、易開封パウチ。
【請求項２】
前記指掛部は、前記切取片に形成したスリットであって、前記切取片を切除開封する際に、前記スリットをつまむことにより、スリットに沿ってフィルムが湾曲するとともに、指を掛けて開封可能な湾曲面が形成されることを特徴とする、請求項１記載の易開封パウチ。
【請求項３】
前記指掛部の前記スリットは、前記切取片の引き裂き方向へと凸形状を有する湾曲形状であることを特徴とする、請求項２記載の易開封パウチ。
【請求項４】
前記指掛部は、前記切取片に形成した貫通孔であって、前記切取片を開封切除する際に、前記貫通孔に指を掛けつつ前記切取片をつまむことにより、フィルムが湾曲するとともに、指を掛けて開封可能な湾曲面が形成されることを特徴とする、請求項１記載の易開封パウチ。
【請求項５】
前記指掛部は、前記切取片のシール部の一部分に形成した未シール部分に、形成したことを特徴とする、請求項１乃至４記載の易開封パウチ。
【請求項６】
前記切取片の、前記指掛部を除く、シール部分の一部を切り欠いたことを特徴とする、請求項１乃至５記載の易開封パウチ。
【請求項７】
前記切取片に指掛部を形成するとともに、前記パウチの本体に指を掛けて保持可能な開封保持部を形成したことを特徴とする、請求項１乃至６記載の易開封パウチ。
【請求項８】
前記開封保持部は、シール部分に形成したスリットであって、前記切取片を切除する際に、前記開封保持部のスリットをつまむことにより、スリットに沿ってフィルムが湾曲するとともに、指を掛けて保持可能な湾曲面が形成されることを特徴とする、請求項７記載の易開封パウチ。
【請求項９】
前記開封保持部は、貫通孔であって、前記切取片を切除する際に、前記開封保持部の貫通孔に指を掛けて保持可能な湾曲面が形成されることを特徴とする、請求項７記載の易開封パウチ。
【請求項１０】
前記指掛部および前記開封保持部は、幅広なシール部分に形成したことを特徴とする、請求項１乃至９記載の易開封パウチ。
【請求項１１】
前記切取片の直下において、幅広なシール部分からなるパウチ把持部を形成したことを特徴とする、請求項１乃至１０記載の易開封パウチ。
【発明の詳細な説明】
【技術分野】
【０００１】
本発明は、フィルムの外周をシールしてなるパウチであって、該パウチの切取片を切除して初期開封するパウチに関する。
【背景技術】
【０００２】
従来、主にレトルト食品や、詰め替え用の洗剤、或いは無菌包装食品、鮮度保持包装食品、医薬品等に用いられる、使用性、環境性に優れ、粉体、固体のみならず液体、流動食等の内容物を密封包装した包装体（パウチ）が知られている（例えば、特許文献１）。
【０００３】
このパウチは使用時において、パウチのシール部分を含む切取片の一端をつまみ、開封方向（引き裂き方向）へと引裂いて切除することにより、パウチの開口を形成し初期開封を行なうものである。例えば、パウチの開封時の一例としては、図１１（ａ）に示すように、まず、パウチのノッチ４上方の切取片３の一端部分を、一方の手の人差指Ａと親指Ｂとでつまみ、他方、ノッチ４下方のパウチ本体側２の一端部分を、他方の手の人差指ａと親指ｂとでつまむ。そして、図１１（ｂ）に示すように、一方の手でパウチ本体２を保持しつつ、他方の手で切取片３をつまんでひねり、引き裂き方向へと力を加えて徐々に引裂いていき、切取片３を切除することでパウチの開封を完了する。
【０００４】
【特許文献１】特開平０８−０８０９７７号公報
【発明の開示】
【発明が解決しようとする課題】
【０００５】
しかしながら、パウチの切取片３をつまむシール箇所は平面Ｈからなり、該平面形状のシール部分Ｈを指でつまみつつ、平面方向へと引っ張るため、フィルムをつまむ指が滑りやすく、力を加えて引っ張ることが難しい。特に、調理をしている場合や、入浴中である場合、濡れた指や油脂の付着した指では、切取片をつまんだ際に、指が滑ってしまい、力を加えて切取片３を引き裂くことが困難である。
【０００６】
そこで本発明は、パウチの開封時、切取片に指を掛けて切り取り可能な指掛部を、切取片に形成することにより、切取片の切除開封時において、前記指掛部に指先を掛けてフィルム縁をつまむことにより、フィルムが３次元形状からなる湾曲面を形成し、該湾曲面に指先がフィットするため、指が滑ることなく、力を加えて容易に切取片を切除することが可能な、易開封パウチを提供することである。
【課題を解決するための手段】
【０００７】
そこで、上記課題を解決するため、本発明の請求項１記載の発明は、フィルムの外周をシールしてなるパウチであって、該パウチの切取片を切除して初期開封するパウチにおいて、前記切取片に、指を掛けて開封可能な指掛部を形成したことを特徴とする、易開封パウチである。
【０００８】
また、請求項２記載の発明は、前記指掛部は、前記切取片に形成したスリットであって、前記切取片を切除開封する際に、前記スリットをつまむことにより、スリットに沿ってフィルムが湾曲するとともに、指を掛けて開封可能な湾曲面が形成されることを特徴とする、易開封パウチである。
【０００９】
また、請求項３記載の発明は、前記指掛部の前記スリットは、前記切取片の引き裂き方向へと凸形状を有する湾曲形状であることを特徴とする、易開封パウチである。
【００１０】
また、請求項４記載の発明は、前記指掛部は、前記切取片に形成した貫通孔であって、前記切取片を開封切除する際に、前記貫通孔に指を掛けつつ前記切取片をつまむことにより、フィルムが湾曲するとともに、指を掛けて開封可能な湾曲面が形成されることを特徴とする、易開封パウチである。
【００１１】
また、請求項５記載の発明は、前記指掛部は、前記切取片のシール部の一部分に形成した未シール部分に、形成したことを特徴とする、易開封パウチである。
【００１２】
また、請求項６記載の発明は、前記切取片の、前記指掛部を除く、シール部分の一部を切り欠いたことを特徴とする、易開封パウチである。
【００１３】
また、請求項７記載の発明は、前記切取片に指掛部を形成するとともに、前記パウチの本体に指を掛けて保持可能な開封保持部を形成したことを特徴とする、易開封パウチである。
【００１４】
また、請求項８記載の発明は、前記開封保持部は、シール部分に形成したスリットであって、前記切取片を切除する際に、前記開封保持部のスリットをつまむことにより、スリットに沿ってフィルムが湾曲するとともに、指を掛けて保持可能な湾曲面が形成されることを特徴とする、易開封パウチである。
【００１５】
また、請求項９記載の発明は、前記開封保持部は、貫通孔であって、前記切取片を切除する際に、前記開封保持部の貫通孔に指を掛けて保持可能な湾曲面が形成されることを特徴とする、易開封パウチである。
【００１６】
また、請求項１０記載の発明は、前記指掛部および前記開封保持部は、幅広なシール部分に形成したことを特徴とする、易開封パウチである。
【００１７】
また、請求項１１記載の発明は、前記切取片の直下において、幅広なシール部分からなるパウチ把持部を形成したことを特徴とする、易開封パウチである。
【発明の効果】
【００１８】
このように、本発明の請求項１記載の発明は、フィルムの外周をシールしてなるパウチであって、該パウチの切取片を切除して初期開封するパウチにおいて、前記切取片に、指を掛けて開封可能な指掛部を形成したことを特徴とするから、パウチの開封時、前記切取片をつまむとともに指を掛止可能な指掛部を形成するとともに、該指掛部に指を掛けてつまんだ部分のフィルムが３次元形状からなる湾曲面を形成するため、この湾曲面をつまみつつ力を加えて切取片を引き裂くことが可能であり、容易にパウチを開封することが可能である。
【００１９】
また、請求項２記載の発明は、前記指掛部は、前記切取片に形成したスリットであって、前記切取片を切除開封する際に、前記スリットをつまむことにより、スリットに沿ってフィルムが湾曲するとともに、指を掛けて開封可能な湾曲面が形成されることを特徴とするから、スリットを形成する簡単な構成で、前記指掛部を形成することが可能であり、パウチ開封時に、スリット部分をつまむとともに、指を掛止可能な指掛部が形成され、該指掛部に指を掛けた状態で、力を加えて切取片を引き裂くことが可能であり、容易にパウチを開封することが可能である。
【００２０】
また、請求項３記載の発明は、前記指掛部の前記スリットは、前記切取片の引き裂き方向へと凸形状を有する湾曲形状であることを特徴とするから、切取片のスリット部分をつまむと、切取片のフィルムがスリットに沿って折れ曲るとともに、指先にフィットする立体形状の湾曲面を形成する。よって、この湾曲面に指を掛けて、容易に切取片を引き裂きパウチを開封することが可能である。
【００２１】
また、請求項４記載の発明は、前記指掛部は、前記切取片に形成した貫通孔であって、前記切取片を開封切除する際に、前記貫通孔に指を掛けつつ前記切取片をつまむことにより、フィルムが湾曲するとともに、指を掛けて開封可能な湾曲面が形成されることを特徴とするから、貫通孔を形成する簡単な構成で、前記指掛部を形成することが可能であり、前記貫通孔に指先を挿入した状態で、力を加えて切取片を引き裂くことが可能であり、さらには、前記貫通孔に指を掛けつつフィルムをつまむことにより、つまんだ部分のフィルムが３次元形状からなる湾曲面を形成するため、この湾曲面をつまみつつ力を加えて切取片を引き裂くことが可能であり、容易にパウチを開封することが可能である。
【００２２】
また、請求項５記載の発明は、前記指掛部は、前記切取片のシール部の一部分に形成した未シール部分に、形成したことを特徴とするから、スリット又は貫通孔の周囲のフィルムが、二枚に分かれた状態の緩衝部位を形成して、切取片を切除する際に、指先に生じる力を分散して、指先への負担を軽減しつつ、切取片を切除してパウチを開封することが可能である。
【００２３】
また、請求項６記載の発明は、前記切取片の、前記指掛部を除く、シール部分の一部を切り欠いたことを特徴とするから、切取片を切除する際に、切取片をつまんだ状態で、引き裂き方向へと手を移動しても、指の関節部分が切取片の一部分に接することなく、スムースにパウチの開封を行なうことが可能である。
【００２４】
また、請求項７記載の発明は、前記切取片に指掛部を形成するとともに、前記パウチの本体に指を掛けて保持可能な開封保持部を形成したことを特徴とするから、切取片を切除する際に、片方の手で前記切取片を強固につまみつつ、他方の手でパウチ本体側を強固につまんで保持することが可能であり、パウチの開封をさらに容易に行なうことが可能である。
【００２５】
また、請求項８記載の発明は、前記開封保持部は、シール部分に形成したスリットであって、前記切取片を切除する際に、前記開封保持部のスリットをつまむことにより、スリットに沿ってフィルムが湾曲するとともに、指を掛けて保持可能な湾曲面が形成されることを特徴とするから、開封保持部のスリット部分をつまむと、スリットに沿ってフィルムが折れ曲るとともに、指先にフィットする立体形状の湾曲面を形成する。よって、この湾曲面に指を掛けて、パウチ本体側を強固につまみ保持することが可能であり、パウチの開封をさらに容易に行なうことが可能である。
【００２６】
また、請求項９記載の発明は、前記開封保持部は、貫通孔であって、前記切取片を切除する際に、前記開封保持部の貫通孔に指を掛けて保持可能な湾曲面が形成されることを特徴とするから、前記貫通孔に指先を挿入もしくは掛けて、パウチ本体側を強固に保持することが可能であり、パウチの開封をさらに容易に行なうことが可能である。
【００２７】
また、請求項１０記載の発明は、前記指掛部および前記開封保持部は、幅広なシール部分に形成したことを特徴とするから、指を掛けるシール部分の面積が広くとれるため、指掛部もしくは開封保持部を強固に把持することが可能である。
【００２８】
また、請求項１１記載の発明は、前記切取片の直下において、幅広なシール部分からなるパウチ把持部を形成したことを特徴とするから、パウチ開封時のみならず、パウチの開封後においても、幅広なシール部分からなる把持部をつかみ、パウチ本体を安定して保持しつつ内容物の注ぎ出しをスムースに行なうことが可能である。
【発明を実施するための最良の形態】
【００２９】
本発明に係る易開封パウチ１（以下、パウチ１）は、従来と同様に、例えば図１に示すように、種々のフィルムを常法に従って積層し、その外周縁をヒートシール（図中、ハッチング部分）した、四方シール形式のパウチ１に製袋し、パウチ１上方を横切る未シール部分を含む箇所に切取り線５を形成し、該切取り線５の一端に形成したノッチ４を起点として切取り線５に沿って、切取り線５より上方のフィルム（切取片３）を水平に切除することにより、パウチ１の初期開封を行なうものである。
このようなパウチ１としては、四方シール形式のパウチ１に限らず、後述する、スタンドパウチや、ガゼット袋やピロー袋など、パウチ１のシール部を含む一辺を切除して開封可能なパウチ１であれば、パウチ１の種類や形状は限定されるものではない。また、切取り線５は必ずしも形成する必要はない。
【００３０】
このようなパウチ１は、パウチ開封時に、前記ノッチ４の上方部分のフィルムを片方の手でつまむとともに、他方の手でノッチ４の下方部分のフィルムをつまみ、前記ノッチ４を起点に引き裂き方向（矢印方向Ｘ）へとフィルムを引き裂いて、切取り線５より上方のフィルムを切除することにより初期開封を行う。
特に、パウチ１の開封とともに切除される前記切取り線より上方のフィルムを切取片３とよび、切取り線５より下方部分をパウチ本体２とよぶ。
【００３１】
以下に本発明の易開封パウチ１の特徴を説明する。
本発明のパウチ１の特徴としては、前記切取片３に、内方へと凸形状かつ湾曲形状のスリット７Ｓからなる指掛部７を形成した点に特徴があり、パウチ１の開封時、図２（ａ）に示すように、前記切取片３を一方の手の指先でつまみ引き裂き方向へとねじったときに、切取片３のフィルムがスリット７Ｓに沿って折れ曲るとともに、指先の形状に沿った３次元形状の湾曲面７Ｗを形成する。
【００３２】
よって、図２（ｂ）に示すように、スリット７Ｓによって形成された湾曲面７Ｗに指先を掛けた状態で、切取片３を引き裂き方向へと強く引っ張ることが可能であり、切取片を容易に切除してパウチを開封することが可能である。
【００３３】
詳しくは、図２（ａ）に示すように、切取片３を切除するパウチ開封時、（１）人差指Ａと親指Ｂで切取片３に形成されたスリット７Ｓの外側部分を把持した後、（２）切取片３を１８０°の反対方向（引き裂き方向）へとねじることにより、スリット７Ｓに沿ってフィルムが折れ曲り、指先形状にフィットする湾曲面７Ｗを形成する。
そして、図２（ｂ）に示すように、湾曲面７Ｗを人差指Ａと親指Ｂとでつまんだ状態で、（３）そのまま引き裂き方向へと切取片３を引き裂くことにより、切取片３を切除してパウチ１を開封することが可能である。
【００３４】
特に、（１）から（２）への一連の操作において、前記指掛部７の形状が、２次元平面から３次元形状へと変化しつつ、指先Ａの形状に沿った指掛面７Ｗ（湾曲面）を形成するものであり、この指掛面７Ｗは、引き裂き方向に対して垂直な面を形成するため、指掛面７Ｗに指先Ａを載せた状態（掛けた状態）で引き裂き方向へと指掛面７Ｗを引くことにより、指掛面７Ｗにかかる力が、切取片３の切断箇所へと強力に作用して、少ない力でも切取片３を引き裂くことが可能である。
【００３５】
以下実際に、上記構成により形成した易開封パウチを開封テストした実施例を挙げる。
（実施例）
成人男性の人差指と親指とのそれぞれの指幅を測定した結果、人差指の爪の付け根部分の幅は１４ｍｍ、親指の爪の付け根部分の幅は１７ｍｍであった。
よって、前記スリット７Ｓの長さを１８ｍｍとして前記易開封パウチを形成した。
【００３６】
そして、この易開封パウチ１の開封テストを行なった結果、切取片３に形成した前記１８ｍｍのスリット７Ｓ部分をつまむと、フィルムがスリット７Ｓに沿って折れ曲がるとともに、人差指と親指とでつまんだフィルムが人差指の腹部分の形状に沿って湾曲面７Ｗを形成した。そして、人差指と親指とで湾曲面７Ｗをつまんだ状態で、引き裂き方向へと切取片を引くと、指先が滑ることなく湾曲面７Ｗが指先にフィットした状態で、容易に切取線３を引き裂いてパウチ１を開封することができた。
【００３７】
このように、本発明のパウチ１は、切取片３をつまむことにより、スリット７Ｓに沿ってフィルムが折れ曲がり湾曲面７Ｗ（指掛部７）を形成し、該湾曲面７Ｗに指を掛けた状態で切取片３を引き裂きパウチ１を開封することが可能である。よって、パウチ開封時、従来のように切取片３の平面状のシール部分をつまむ指先がすべることなく、指掛部７に指を掛けた状態で、力を加えて切取片３を引き裂いてパウチ１を容易に開封ことが可能である。
【００３８】
また、前記切取片３に形成した指掛部７は、スリット７Ｓに限らず、フィルムを切り抜いた貫通孔７Ｋであってもよい。
この場合、図３に示すように、パウチ１の切取片３の一端部分に、フィルムの一部を切り抜いた貫通孔７Ｋを形成することにより、パウチ開封時、図４（ａ）に示すように、切取片３に形成した貫通孔７Ｋに人差指Ａ（若しくは親指）の先端を挿入して掛止するとともに、貫通孔７Ｋに掛けた人差指Ａ（若しくは親指）と、親指Ｂ（若しくは人差指）の腹部分とで貫通孔７Ｋの外側のフィルムをつまむことで、湾曲面７Ｗを形成し、この湾曲面７Ｗを強固につまんで開封することが可能である。そして、図４（ｂ）に示すように、湾曲面７Ｗを把持した状態で、引き裂き方向へと切取片３を引き裂いて容易にパウチ１を開封することが可能である。
【００３９】
このように、本発明のパウチ１は、スリット７Ｓもしくは貫通孔７Ｋからなる指掛部７を切取片３に形成することにより、指掛部７に指を掛けた状態で、力を加えて切取片３を引き裂くことが可能であり、容易かつ確実にパウチ１を開封することが可能である。
【００４０】
しかしながら、前記貫通孔７Ｋやスリット７Ｓに指を掛けた状態で、引き裂き方向へと切取片３を強く引いたときに、指先Ａが貫通孔７Ｋまたはスリット７Ｓのシール縁に食い込んで指先Ａを痛めてしまう恐れがある。
このため、前記貫通孔７Ｋまたは前記スリット７Ｓの周囲を、未シールにすることにより、前記貫通孔７Ｋまたは前記スリット７Ｓの縁が、２枚のフィルムに分かれるとともにフィルム間に隙間が形成される。よって、指掛部の未シール部分に指Ａを掛けて切取片３を引くことにより、指先Ａに負担をかけることなく、切取片３を引き裂いてパウチ１を開封することが可能である。
【００４１】
この場合、図５（ａ）に示すように、切取片３のシール部分の一部に未シール部分６を形成し、該未シール部分６にスリット７Ｓからなる指掛部７を形成する。
これにより、パウチ１の開封時、指掛部７に指を掛けてフィルムをつまんでも、指先Ａに当接するフィルムが、未シール状態の２枚のフィルムからなり、この部分のフィルムが比較的柔軟であるため、切取片３を引き裂き方向へと強く引いても指先Ａを痛めることがない。
【００４２】
また、パウチ開封時、切取片３を引き裂き方向へと引いた際に、切取片３をつまむ指の関節部分Ｙが、切取片３の上部フィルムに当接してしまい、引き裂き方向へと真っ直ぐに引くことができないことがある。このため、本発明のパウチ１においては、開封時に指の関節部分Ｙと接する切取片３の一部を切り欠いた切欠き部９を形成しても良い。
この場合、図５（ｂ）に示すように、切取片３に貫通孔７Ｋからなる指掛部７を形成するとともに、貫通孔７Ｋの、引き裂き方向への延長部分において、切取片３の一部のフィルムを切欠いた切欠き部９を形成する。
これにより、パウチ１の開封時、指掛部７に指を掛けた状態で引き裂き方向へと切取片３を引いた際に、図６に示すように、切取片３をつまんだ指の関節部分Ｙが切取片３の上方のフィルム部分に当接することがなく、切取片３を引き裂き方向へと真っ直ぐに引き裂くことが可能である。
【００４３】
このように、本発明の易開封パウチ１は、パウチ開封時に、切取片３に形成された指掛部７に指を掛けて切取片３を強固につまんだ状態で、引き裂き方向へと切取片３を強く引くことができるため、容易に切取片３を引き裂いてパウチ１を開封することが可能である。また、指掛部７を、切取片３の未シール部分６に形成することにより、指掛部７の周囲に未シール状態のフィルムからなる緩衝部位６（未シール部分６）が形成されるため、指掛部７に指を掛けた状態で引いた際にも、指先を痛めることなく切取片３を引き裂き方向へと強く引き裂くことが可能である。
さらには、切取片３の一部を切り欠いた切欠き部９を形成することにより、パウチ開封時、切取片３をつまむ手が、切取片３の一部に当接することなく、切取片３を引き裂き方向へとスムースかつ真っ直ぐに引き裂くことが可能である。
【００４４】
次に、切取片３に指掛部７を形成するとともに、パウチ本体側２に開封保持部８を形成した場合の一例について説明する。
前述のとおり、パウチ１の開封時、片方の手で切取片３をつまんだ状態で切取片３を引くときに、他方の手でパウチの本体側２を保持する必要がある。
特に、切取片３に形成した指掛部７に指を掛けた状態で、切取片３を強く引いたときに、パウチ本体２を保持する指が滑ってしまうとパウチ１が落下してしまう恐れがある。
このため、パウチ開封時において、他方の手でパウチの本体側２を強固に保持する必要がある。
【００４５】
本発明の易開封パウチ１においては、切取片３に指掛部７を形成するとともに、パウチの本体側２にも、前述同様、指を掛けて保持可能な貫通孔８Ｋもしくはスリット８Ｓからなる開封保持部８を形成することにより、パウチ開封時に、パウチ本体２を強固に保持して切取片３を強く引き裂くことができる効果がある。
【００４６】
例えば、図７に示すように、切取片３の左端に貫通孔７Ｋからなる指掛部７を形成するとともに、前記貫通孔７Ｋのノッチ４を挟んだ対称位置のパウチ本体側２に、貫通孔８Ｋからなる開封保持部８を形成する。
特に、前記指掛部７の貫通孔７Ｋおよび開封保持部８の貫通孔７Ｋを形成する箇所のシール部分を幅広なシールからなるパウチ把持部Ｐとすることにより、指を掛けるシール面積が広くとれるため、指掛部もしくは開封保持部を強固に把持することが可能である。
【００４７】
これにより、図８に示すように、切取片３に形成された貫通孔７Ｋに片方の手の指先Ａを掛けつつ指先Ｂとで切取片３をつまみ、一方、パウチ本体側２に形成された貫通孔８Ｋに他方の手の指先ａを掛けつつ指先ｂとでつまみパウチ本体側２を保持して、パウチ開封時、引き裂き方向へと切取片３を強く引き裂くことが可能である。
特に、パウチ本体側２の、指先ａ、ｂでつまんだ箇所が湾曲面８Ｗを形成するため、この部分を強固につまんでパウチを保持することが可能である。同様に、切取片３の指先Ａ、Ｂでつまんだ箇所が湾曲面７Ｗを形成するため、この部分を強固につまんで切取片を切除することが可能である。
【００４８】
よって、パウチ開封時に、パウチ本体２のパウチ把持部Ｐに形成された開封保持部８に指ａを掛けて強固にパウチ本体側２を保持しつつ、他方の手で切取片３のパウチ把持部Ｐに形成された指掛部７に指Ａを掛けて切取片３を引き裂き方向へと強く引き裂くことができるから、パウチ１の開封をさらに確実かつ容易に行なうことが可能である。
【００４９】
さらに、前記パウチ把持部Ｐは、図９に示すように、パウチの前記切取片３の直下において、左右のシールにそれぞれ形成してもよく、パウチ開封時のみならず、パウチの開封後においても、図１０に示すように、パウチの左右に形成された幅広なシールからなる把持部Ｐをつかみ、パウチ本体２を安定して保持しつつ、内容物の注ぎ出しをより安定かつ確実に行なうことが可能である。
【００５０】
本発明の易開封パウチ１において、前記指掛部７および前記開封保持部８に形成したスリット７Ｓ、８Ｓは、引き裂き方向へと凸形状からなる湾曲スリット７Ｓに限らず、直線形状のスリット７Ｓであっても良い。この場合、引き裂き方向（水平方向）に対して垂直方向のスリット７Ｓを形成することが望ましく、引き裂き方向へと力を加えやすくなる効果がある。
【００５１】
また、一般的にパウチ１の開封時、切取片３を斜め上方へと引き裂いて、パウチ１を開封する傾向がある。このため、切取片３のスリット７Ｓを垂直方向から僅かに斜め方向へと傾けて形成してもよく、指掛部７に指を掛けて斜め上方向へと力を加えても、前述同様に切取片３を容易に切除することが可能である。よって、人間工学に基づいた自然な開封操作により、スムースかつ容易にパウチ１の開封を行なうことが可能である。
【００５２】
また、切取片３に貫通孔７Ｋを形成した場合、指先が貫通孔７Ｋへと入りやすくするために、貫通孔７Ｋの形状を略Ｄ字形状としてもよく、Ｄ字形状の左側の垂直部分に指先の腹部分を掛けやすく、かつＤ字形状の右側の湾曲部分に指先が挿入しやすくなり、スムースかつ容易にパウチ１の開封を行なうことが可能である。
【００５３】
また、前記貫通孔および前記スリットは、指が僅かに掛かる程度の大きさであればよく、何れにせよ、切取片３に形成した前記指掛部７およびパウチ本体側２に形成した前記開封保持部８の形状は、よりパウチ１の開封がスムースかつ容易に行なうことができる形状であれば、上記例に限定されるものではない。また、前記指掛部７および開封保持部８の形成箇所は、上記例では、水平方向に切取片３を切除する場合を想定した一例を示したものであり、パウチ１の開封時、切取片３を垂直方向へと切除するものであってもよく、指掛部７および開封保持部８の形成箇所は、パウチ１の形状や引き裂き方向によって適宜変更可能である。
【００５４】
本発明の易開封パウチ１は、切取片３に指掛部７を形成するとともに、パウチ本体側２に開封保持部８を形成して、パウチ１の開封を少ない力でもって確実かつ容易に行なうことが可能であり、さらには、指掛部７の形状を、より開封し易い形状としつつ、切取片３の切除時に干渉する部分を切り欠いて、よりスムースに引き裂き方向へと切取片３を引き裂くことができるから、子供からお年寄りまでスムースにパウチ１の開封操作を行なうことができるユニバーサルデザインの精神に基づいた易開封パウチ１を提供することが可能である。
【図面の簡単な説明】
【００５５】
【図１】本発明の易開封パウチの一例を示す正面図である。
【図２】図１に示す易開封パウチの開封時を示す説明図である。  （ａ）パウチの開封開始直後の状態を示す説明図である。  （ｂ）パウチの開封終了直前の状態を示す説明図である。
【図３】本発明の易開封パウチの別の例を示す正面図である。
【図４】図３に示す易開封パウチの開封時を示す説明図である。  （ａ）パウチの開封開始直後の状態を示す説明図である。  （ｂ）パウチの開封終了直前の状態を示す説明図である。
【図５】本発明の易開封パウチのさらに別の例を示す正面図である。  （ａ）パウチの一例を示す正面図である。  （ｂ）パウチの一例を示す正面図である。
【図６】図５（ｂ）に示す易開封パウチの開封時を示す説明図である。
【図７】本発明の易開封パウチのさらに別の例を示す正面図である。
【図８】図７に示す易開封パウチの開封時を示す説明図である。
【図９】本発明の易開封パウチのさらに別の例を示す正面図である。
【図１０】図９に示す易開封パウチの内容物の注ぎ出し時を示す説明図である。
【図１１】従来のパウチの開封時を示す説明図である。  （ａ）パウチの開封直前の状態を示す説明図である。  （ｂ）パウチの開封時の状態を示す説明図である。
【符号の説明】
【００５６】
１  易開封パウチ（パウチ）
２  収容部
３  切取片
４  ノッチ
５  切取り線
６  未シール部分（緩衝部位）
７  指掛部
７Ｓ  スリット
７Ｗ  湾曲面（指掛面）
７Ｋ  貫通孔
８  開封保持部
８Ｓ  スリット
８Ｗ  湾曲面
８Ｋ  貫通孔
９  切欠き部
Ｐ  パウチ把持部
Ｘ  引き裂き方向
Ａ、Ｂ  一方の手の指
ａ、ｂ  他方の手の指
Ｙ  指の関節部分
【図１】
2008063000.tif 000003
【図２】
2008063000.tif 000004
【図３】
2008063000.tif 000005
【図４】
2008063000.tif 000006
【図５】
2008063000.tif 000007
【図６】
2008063000.tif 000008
【図７】
2008063000.tif 000009
【図８】
2008063000.tif 000010
【図９】
2008063000.tif 000011
【図１０】
2008063000.tif 000012
【図１１】
2008063000.tif 000013